(57)【要約】【課題】本発明は、第１筐体と第２筐体とを開閉可能に連結する連結部に複数層のフレキシブルプリント基板を層同士の間に隙間が生じることを抑制した状態で収容可能な電子機器を提供することを目的とする。【解決手段】携帯電話機１は、操作部側筐体２と、表示部側筐体３と、操作部側筐体２と表示部側筐体３とを所定の回動軸Ｚを中心に互いに回動可能に連結する連結部４であって、軸部材３００と、軸部材３００の外面との間に収容空間ＡＲを形成する連結カバー部２９０と、を有する連結部４と、連結部４における収容空間ＡＲに収容配置されるたるみ部２０３Ａであって、第１面２００Ａ側を内側にした第１折り返し部２０３ａと、第２面２００Ｂ側を内側にした第２折り返し部２０３ｂとを有するたるみ部２０３Ａとを有するフレキシブルプリント基板２００と、を備える。【選択図】図４
2012222621.tif 000002
【特許請求の範囲】
【請求項１】
第１筐体と、
前記第１筐体に収容される第１回路基板と、
第２筐体と、
前記第２筐体に収容される第２回路基板と、
前記第１筐体と前記第２筐体とを所定の回動軸を中心に互いに回動可能に連結する連結部であって、
前記回動軸に沿って配置される軸部材と、
前記軸部材の外面から離間して配置され、前記軸部材の外面との間に収容空間を形成する連結カバー部と、を有する連結部と、
第１面と前記第１面に対して厚み方向において対向する第２面とを有し、前記第１回路基板と前記第２回路基板とを電気的に接続するフレキシブルプリント基板であって、
前記第１筐体に収容される第１部と、
前記第２筐体に収容される第２部と、
前記連結部における前記収容空間に収容配置されるたるみ部であって、第１面側を内側にした第１折り返し部と、第２面側を内側にした第２折り返し部とを有するたるみ部とを有するフレキシブルプリント基板と、を備える
電子機器。
【請求項２】
前記軸部材は、外面に形成され、前記たるみ部を構成するフレキシブルプリント基板における前記回動軸方向の端面に当接して前記フレキシブルプリント基板における前記回動軸方向への移動を規制する規制部を有する
請求項１に記載の電子機器。
【請求項３】
前記第１折り返し部及び前記第２折り返し部それぞれは、湾曲状に形成される
請求項１又は２に記載の電子機器。
【請求項４】
前記フレキシブルプリント基板における前記第１面及び／又は前記第２面には、摩擦低減シートが配置される
請求項１から３のいずれかに記載の電子機器。
【請求項５】
前記フレキシブルプリント基板は、複数の層を有し、厚さ方向における内層部には信号ライン層が配置され、外層部にはグランドパターン層が配置される
請求項１から４のいずれかに記載の電子機器。
【請求項６】
前記フレキシブルプリント基板は、前記収容空間に収容された部分のうち前記たるみ部を除く部分において前記第１面側が前記軸部材側を向くように配置されると共に、前記第１面側の層が前記第２面側の層よりも長さが短くなるよう構成される
請求項１から５のいずれかに記載の電子機器。
【請求項７】
前記軸部材は、
前記第１筐体又は前記第２筐体から前記回動軸方向に直交する方向に延びる根元部と、
前記根元部から前記回動軸方向に延びるように形成される延出部と、
少なくとも前記延出部における前記根元部と反対側の先端部側に形成され、前記第１筐体と前記延出部とをつなぐように形成される補強部と、を有する
請求項１から６のいずれかに記載の電子機器。
【発明の詳細な説明】
【技術分野】
【０００１】
本発明は、電子機器に関する。
【背景技術】
【０００２】
従来、携帯電話機やディジタルカメラ等の電子機器において、２つの筐体と、当該２つの筐体を開閉可能に連結する連結部を有するものがある。２つの筐体それぞれには、回路基板や表示部材等が収容される。
ここで、２つの筐体それぞれに収容配置される回路基板や表示部材は、複数層のフレキシブルプリント基板等により電気的に接続される。
【０００３】
フレキシブルプリント基板は、両端が２つの筐体それぞれに配置されると共に、中央部分が連結部の内部に収容配置される。
【０００４】
ここで、フレキシブルプリント基板は、電子機器における開閉変形に対応するため、連結部の内部においては、所定のたるみ部（長さ調整部）を有して配置される。
例えば、螺旋状に一回巻かれたたるみ部を有するフレキシブルプリント基板を備える電子機器が提案されている（例えば、特許文献１参照）。
【先行技術文献】
【特許文献】
【０００５】
【特許文献１】特開２００２−１２４７７９号公報
【発明の概要】
【発明が解決しようとする課題】
【０００６】
しかし、特許文献１の電子機器において、複数層のフレキシブル基板のうち螺旋状の部分における内側の層が撓んだり外側の層から離間したりする場合がある。
そして、連結部に入り込んだ砂やごみ等の異物が上記離間した内側の層と外側の層との間に入ることで、断線等が生じる場合があった。
【０００７】
本発明は、第１筐体と第２筐体とを開閉可能に連結する連結部に複数層のフレキシブルプリント基板を層同士の間に隙間が生じることを抑制した状態で収容可能な電子機器を提供することを目的とする。
【課題を解決するための手段】
【０００８】
本発明は、第１筐体と、前記第１筐体に収容される第１回路基板と、第２筐体と、前記第２筐体に収容される第２回路基板と、前記第１筐体と前記第２筐体とを所定の回動軸を中心に互いに回動可能に連結する連結部であって、前記回動軸に沿って配置される軸部材と、前記軸部材の外面から離間して配置され、前記軸部材の外面との間に収容空間を形成する連結カバー部と、を有する連結部と、第１面と前記第１面に対して厚み方向において対向する第２面とを有し、前記第１回路基板と前記第２回路基板とを電気的に接続するフレキシブルプリント基板であって、前記第１筐体に収容される第１部と、前記第２筐体に収容される第２部と、前記連結部における前記収容空間に収容配置されるたるみ部であって、第１面側を内側にした第１折り返し部と、第２面側を内側にした第２折り返し部とを有するたるみ部とを有するフレキシブルプリント基板と、を備える電子機器に関する。
【０００９】
また、電子機器において、前記軸部材は、外面に形成され、前記たるみ部を構成するフレキシブルプリント基板における前記回動軸方向の端面に当接して前記フレキシブルプリント基板における前記回動軸方向への移動を規制する規制部を有することが好ましい。
【００１０】
また、電子機器において、前記第１折り返し部及び前記第２折り返し部それぞれは、湾曲状に形成されることが好ましい。
【００１１】
また、電子機器において、前記フレキシブルプリント基板における前記第１面及び／又は前記第２面には、摩擦低減シートが配置されることが好ましい。
【００１２】
また、電子機器において、前記フレキシブルプリント基板は、複数の層を有し、厚さ方向における内層部には信号ライン層が配置され、外層部にはグランドパターン層が配置されることが好ましい。
【００１３】
また、電子機器において、前記フレキシブルプリント基板は、前記収容空間に収容された部分のうち前記たるみ部を除く部分において前記第１面側が前記軸部材側を向くように配置されると共に、前記第１面側の層が前記第２面側の層よりも長さが短くなるよう構成されることが好ましい。
【００１４】
また、電子機器において、前記軸部材は、前記第１筐体又は前記第２筐体から前記回動軸方向に直交する方向に延びる根元部と、前記根元部から前記回動軸方向に延びるように形成される延出部と、少なくとも前記延出部における前記根元部と反対側の先端部側に形成され、前記第１筐体と前記延出部とをつなぐように形成される補強部と、を有することが好ましい。
【発明の効果】
【００１５】
本発明によれば、第１筐体と第２筐体とを開閉可能に連結する連結部に複数層のフレキシブルプリント基板を層同士の間に隙間が生じることを抑制した状態で収容可能な電子機器を提供することができる。
【図面の簡単な説明】
【００１６】
【図１】携帯電話機１を開いた状態における外観斜視図である。
【図２】操作部側筐体２を構成する部材を説明する分解斜視図である。
【図３】表示部側筐体３を構成する部材を説明する分解斜視図である。
【図４】連結部４の構造及びフレキシブルプリント基板２００の態様を説明する斜視図である。
【図５】フレキシブルプリント基板２００のたるみ部２０３Ａを説明する部分拡大図である。
【図６】フレキシブルプリント基板２００を説明する斜視図である。
【図７】フレキシブルプリント基板２００の態様を説明する模式図である。
【図８】摩擦低減シート４００が貼り付けられたフレキシブルプリント基板２００の斜視図である。
【図９】フレキシブルプリント基板２００の断面図である。
【図１０】フレキシブルプリント基板２００の態様を説明する断面図である。
【図１１Ａ】携帯電話機１が閉状態におけるフレキシブルプリント基板２００の態様を説明する模式図である。
【図１１Ｂ】携帯電話機１が開状態におけるフレキシブルプリント基板２００の態様を説明する模式図である。
【図１２Ａ】軸収容部における他の形態を説明する図である。
【図１２Ｂ】軸収容部における他の形態を説明する図である。
【発明を実施するための形態】
【００１７】
以下、図面を参照して本発明を実施するための最良の形態を説明する。
図１により、携帯電子機器としての携帯電話機１における基本構造を説明する。図１は、携帯電話機１を開いた状態における外観斜視図を示す。
【００１８】
図１に示すように、携帯電話機１は、操作部側筐体２（第１筐体）と、表示部側筐体３（第２筐体）と、を備える。また、携帯電話機１は、操作部側筐体２と表示部側筐体３とを開閉可能に連結する連結部４を備える。連結部４は、操作部側筐体２体と表示部側筐体３とを回動軸Ｚを中心に互いに回動可能に連結する。
【００１９】
携帯電話機１は、開状態と閉状態とに状態変化（変形）可能に構成される。ここで、閉状態とは、操作部側筐体２と表示部側筐体３とが互いに重なるように配置された状態であり、詳細には、両筐体における所定の面同士が対向するように配置された状態である。本実施形態においては、操作部側筐体２における操作部側内面２Ａと、表示部側筐体３における表示部側内面３Ａとが互いに対向するように配置された状態である。また、開状態とは、操作部側筐体２と表示部側筐体３とが互いに重ならないように配置された状態であり、詳細には、両筐体における所定の面同士が対向せずに離間して配置された状態である。本実施形態においては、操作部側筐体２における操作部側内面２Ａと、表示部側筐体３における表示部側内面３Ａとが互いに対向せずに離間して配置された状態である。
【００２０】
操作部側筐体２は、操作部側内面２Ａと、操作部側外面２Ｂとを有する。操作部側内面２Ａは、携帯電話機１が閉状態において表示部側筐体３の表示部側内面３Ａと対向して配置される面である。
操作部側筐体２は、外面（外郭）がフロントケース２ａと、リアケース２ｂと、バッテリカバー２ｃとにより構成される。
操作部側筐体２には、操作キー群１１と、使用者が通話時に発した音声が入力される音声入力部１２と、主電源操作部１９とがそれぞれ外部に露出して配置される。本実施形態において、操作キー群１１（サイドキー１６除く）と、音声入力部１２と、主電源操作部１９とは、操作部側筐体２における操作部側内面２Ａに並んで配置される。
【００２１】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５と、サイドキー１６とを含んで構成される。操作キー群１１を構成する各キーそれぞれには、携帯電話機１における開閉状態、各種モードや起動されているアプリケーションの種類等に応じて、それぞれ所定の機能が割り当てられる（キー・アサイン）。そして、使用者により各キーが押圧されることにより、押圧時において各キーに割り当てられている機能に応じた動作が携帯電話機１において実行される。
【００２２】
音声入力部１２は、操作部側筐体２の長手方向における連結部４側と反対の外端部側に配置される。つまり、音声入力部１２は、携帯電話機１が開状態において一方の外端部側に配置される。
【００２３】
操作部側筐体２における一方側の側面には、外部機器（例えば、ホスト装置）と通信を行うためのインターフェース（図示せず）と、外部メモリの挿入及び取り出しが行われるインターフェース（図示せず）とが配置される。各インターフェースは、不使用時にはキャップにより覆われる。操作部側筐体２における他方側の側面には、所定の機能が割り当てられたサイドキー１６が配置される。
【００２４】
表示部側筐体３は、表示部側内面３Ａと、表示部側外面３Ｂとを有する。表示部側内面３Ａは、携帯電話機１が閉状態において操作部側筐体２の操作部側内面２Ａと対向して配置される面である。
表示部側筐体３は、外面（外郭）がフロントパネル３ａと、フロントケース３ｂと、リアケース３ｃとにより構成される。
表示部側筐体３には、メイン表示部２１と、サブ表示部２２と、通話の相手側の音声を出力する音声出力部２５とが外部に露出して配置される。
【００２５】
メイン表示部２１は、表示部側筐体３における表示部側内面３Ａに配置される。メイン表示部２１は、文字情報や画像情報等の各種情報を表示可能に構成される。メイン表示部２１は、携帯電話機１が開状態において、使用者により視認される表示部である。
【００２６】
サブ表示部２２は、表示部側筐体３における表示部側外面３Ｂに配置される。サブ表示部２２は、メイン表示部２１より表示領域が小さい表示部である。サブ表示部２２は、文字情報や画像情報等の各種情報を表示可能に構成される。サブ表示部２２は、携帯電話機１が閉状態において、使用者により視認される表示部である。
【００２７】
音声出力部２５は、表示部側筐体３における表示部側内面３Ａに配置される。音声出力部２５は、表示部側筐体３の長手方向における連結部４側と反対の外端部側に配置される。つまり、音声出力部２５は、携帯電話機１が開状態において他方の外端部側に配置される。
【００２８】
ここで、操作部側筐体２は、後述の通り、回路基板７０（第１回路基板）を収容する。また、表示部側筐体３は、後述の通り、表示部側基板８６（第２回路基板）を収容する。
操作部側筐体２側の回路基板７０と、表示部側筐体３側の表示部側基板とは、フレキシブルプリント基板２００（図４参照）により電気的に接続される。
フレキシブルプリント基板２００は、一端側の第１部２０１が操作部側筐体２に収容され、他端側の第２部２０２が表示部側筐体３に収容され、中央部２０３が連結部４に収容される。
【００２９】
連結部４は、操作部側筐体２の上端部と表示部側筐体３の下端部との間に配置される。連結部４は、操作部側筐体２と表示部側筐体３とを互いに回動可能に連結する。連結部４は、操作部側筐体２と表示部側筐体３と回動軸Ｚを中心に回動可能に連結する。
連結部４の構成については、後に詳述する。
【００３０】
次いで、図２及び図３により、携帯電話機１を構成する基本的な部材について説明する。図２は、操作部側筐体２を構成する部材を説明する分解斜視図である。図３は、表示部側筐体３を構成する部材を説明する分解斜視図である。
【００３１】
図２に示すように、操作部側筐体２は、キー構造部４０と、フロントケース２ａと、キー基板５０と、ケース体６０と、回路基板７０（第１回路基板）と、アンテナ部９０と、防水用パッキン９５と、リアケース２ｂと、バッテリ８０と、バッテリカバー２ｃとを備える。
【００３２】
操作部側筐体２における外面（外郭）は、フロントケース２ａとリアケース２ｂとが互いの凹状の内側面が向き合うように配置され、互いの外周縁が重なり合うようにして結合されると共に、リアケース２ｂにバッテリカバー２ｃが装着されることで形成される。
【００３３】
キー構造部４０は、フロントケース２ａの外面側に配置される。キー基板５０と、ケース体６０と、回路基板７０と、アンテナ部９０と、防水用パッキン９５と、バッテリ８０とは、フロントケース２ａとリアケース２ｂとの間（操作部側筐体２の内部）に配置（内蔵）される。
【００３４】
フロントケース２ａには、連結部４側の側面に貫通孔部２４９が形成される。後述するフレキシブルプリント基板２００における一端側の第１部２０１は、貫通孔部２４９から挿入されて操作部側筐体２の内部に配置される。
また、貫通孔部２４９は、フレキシブルプリント基板２００に取り付けられた第１グロメット２１０（閉塞部材）により、水が外部から内部空間内に侵入しないよう閉塞される。
【００３５】
また、フロントケース２ａには、開口部１４ａと、開口部１４ａの外縁に形成される載置部１４ｃとが形成される。
載置部１４ｃには、キー構造部４０が載置される。
開口部１４ａは、載置部１４ｃに載置されるキー構造部４０と、キー基板５０とが当接した状態で積層配置可能となるよう形成される。
【００３６】
キー構造部４０は、操作部材４０Ａと、キーシート４０Ｃとを有して構成される。
操作部材４０Ａは、複数のキー操作部材により構成される。具体的には、操作部材４０Ａは、機能設定操作キー部材１３ｂと、入力操作キー部材１４ｂと、決定操作キー部材１５ｂとにより構成される。
操作部材４０Ａを構成する各操作キー部材それぞれは、キーシート４０Ｃにおける所定箇所に接着される。キーシート４０Ｃに接着された各操作キー部材それぞれにおける押圧面は、外部に露出して配置される。
【００３７】
キーシート４０Ｃは、可撓性を有するシリコンゴム製のシート状部材である。キーシート４０Ｃには、複数の凸部が形成される。複数の凸部は、キーシート４０Ｃにおけるキーフレーム４０Ｂが配置される側の面に形成される。複数の凸部は、後述するキースイッチ５１、５２、５３それぞれに対応する位置に形成される。
【００３８】
キー基板５０は、キー構造部４０におけるキーシート４０Ｃ側の面である第１面５０ａに配置される複数のキースイッチ５１、５２、５３を有する。
複数のキースイッチ５１、５２、５３それぞれは、各操作部材４０Ａに対応する位置に配置される。キースイッチ５１、５２、５３は、椀状に湾曲して立体的に形成された金属板のメタルドームと、スイッチ端子（図示せず）とを有する。メタルドームは、その椀状形状の頂点が押圧されると、キー基板５０の表面に印刷された電気回路（図示せず）に形成されるスイッチ端子に接触して電気的に導通するように構成される。
【００３９】
ケース体６０は、薄型の略直方体形状であって一の広い面が開口した形状を有する導電性の部材である。
ケース体６０は、回路基板７０に対向して配置される平板部６１と、平板部６１における回路基板７０側の面に対して略垂直に形成されるリブ６２（壁部）を有する。リブ６２は、回路基板７０に実装される各種電子部品のうち最も高さのある電子部品の高さと同等又はそれよりも十分に高くなるよう形成される。リブ６２は、平板部６１の周縁及び内側に、基準電位部を構成する基準電位パターン層７５に対応するように形成される。
また、ケース体６０は、シールドケースとして機能する。ケース体６０は、外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出（伝播）されるノイズを遮蔽して、他の電子部品やアンテナに接続される受信回路等に作用することを抑制する。
なお、ケース体６０は、金属により形成されるほか、骨格が樹脂により形成され、その表面に導体膜が形成されたものでもよい。
【００４０】
回路基板７０は、平板状の基板部７１と、基板部７１における第１面７０ａ側に実装される電子部品及び各種回路ブロックと、基板部７１における第１面７０ａの表面に形成される基準電位パターン層７５（グランドパターン層）とを有する。
基板部７１に実装される電子は、例えば、アンテナ部９０が送受信する信号を処理する信号処理部を含む電子部品等が例示される。また、回路ブロックは、例えば、ＲＦ（Ｒａｄｉｏ  Ｆｒｅｑｕｅｎｃｙ）回路や電源回路が例示される。
基準電位パターン層７５は、基板部７１の外縁や、各回路ブロックを区画する箇所に形成される。基準電位パターン層７５は、例えば、回路基板７０における第１面７０ａの表面に導電性の部材を印刷することで形成される。
ここで、回路基板７０には、フレキシブルプリント基板２００の第１部２０１における所定領域が接続される。
そして、回路基板７０は、フレキシブルプリント基板２００により後述する表示部側基板８６と電気的に接続される。
【００４１】
アンテナ部９０は、基台上に所定形状のアンテナエレメントが配置されることにより構成さる。アンテナ部９０は、携帯電話機１における連結部４側と反対の端部側に配置される。アンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００４２】
防水用パッキン９５は、フロントケース２ａの外縁とリアケース２ｂの外縁とに挟まれて配置される。防水用パッキン９５は、環状であってフロントケース２ａ及びリアケース２ｂの外縁に対応した形状である。防水用パッキン９５は、シリコンゴム等の弾性材により構成される。
【００４３】
バッテリ８０は、リアケース２ｂに形成されたバッテリ用開口８１を介して操作部側筐体２に収容配置される。
バッテリカバー２ｃは、リアケース２ｂにおける外面側からバッテリ８０を覆うように配置される。
【００４４】
操作部側筐体２には、上述した部材のほか、音声入力部１２を構成するマイク等の部材が内部に収容配置される。
【００４５】
図３に示すように、表示部側筐体３は、フロントパネル３ａと、メイン表示部２１と、フロントケース３ｂと、表示部側基板８６（第２回路基板）と、サブ表示部２２と、リアケース３ｃとを備える。
【００４６】
表示部側筐体３における外面（外郭）は、フロントケース３ｂとリアケース３ｃとが互いの外周縁が重なり合うようにして結合されると共に、フロントケース３ｂにフロントパネル３ａが取り付けられることで形成される。
【００４７】
フロントパネル３ａは、平板状の光透過性部材である。フロントパネル３ａは、メイン表示部２１を保護すると共に、メイン表示部２１により表示された画像等を外部に透過させる部材である。
【００４８】
メイン表示部２１は、液晶パネルと、液晶パネルを駆動する駆動回路と、液晶パネルの背面側から光を照射するバックライト等の光源部とを含んで構成される。
メイン表示部２１は、フロントケース３ｂにおけるフロントパネル３ａ側に配置される。
【００４９】
フロントケース３ｂは、板金部材を樹脂インサート成型することにより形成されている。フロントケース３ｂを構成する板金部材は、フロントケース３ｂの強度を向上させると共に、シールド部材として機能する。
また、フロントケース３ｂには、連結部４側の側面に貫通孔部２５０が形成される。上述したフレキシブルプリント基板２００における他端側の第２部２０２は、貫通孔部２５０から挿入されて表示部側筐体３の内部に配置される。
また、貫通孔部２５０は、フレキシブルプリント基板２００に取り付けられた第２グロメット２２０（閉塞部材）により、水が外部から内部空間内に侵入しないよう閉塞される。
【００５０】
表示部側基板８６は、平板状の部材であって、メイン表示部２１やサブ表示部２２等と電気的に接続される部材である。
本実施形態において、表示部側基板８６には、中央部に開口部８６ａが形成される。開口部８６ａには、サブ表示部２２が（挿通）配置される。
また、本実施形態において、表示部側基板８６には、カメラモジュール１９０が実装される。
ここで、表示部側基板８６には、フレキシブルプリント基板２００の第２部２０２における所定領域が接続される。
そして、表示部側基板８６は、フレキシブルプリント基板２００により後述する回路基板７０と電気的に接続される。
【００５１】
サブ表示部２２は、フロントケース３ｂにおけるリアケース３ｃ側に積層配置される。
サブ表示部２２は、液晶パネルと、液晶パネルを駆動する駆動回路と、液晶パネルの背面側から光を照射するバックライト等の光源部とを含んで構成される。
サブ表示部２２は、表示領域がメイン表示部２１の表示領域より小さい表示部である。
サブ表示部２２は、表示部側筐体３の厚さ方向において、表示領域がメイン表示部２１の表示領域と反対側を向いて配置される。
【００５２】
リアケース３ｃは、フロントケース３ｂと共に表示部側基板８６やサブ表示部２２を収容する。
表示部側筐体３には、上述した部材のほか、音声出力部２５等の部材が内部に収容配置される。
【００５３】
続けて、図４から図１１Ｂにより、連結部４の構成及びフレキシブルプリント基板２００の取り付け状態について説明する。
図４は、連結部４の構造及びフレキシブルプリント基板２００の態様を説明する斜視図である。図５は、フレキシブルプリント基板２００のたるみ部２０３Ａを説明する部分拡大図である。図６は、フレキシブルプリント基板２００を説明する斜視図である。図７は、フレキシブルプリント基板２００の態様を説明する模式図である図８は、摩擦低減シート４００が貼り付けられたフレキシブルプリント基板２００の斜視図である。図９は、フレキシブルプリント基板２００の断面図である。図１０は、フレキシブルプリント基板２００の態様を説明する断面図である。図１１Ａは、携帯電話機１が閉状態におけるフレキシブルプリント基板２００の態様を説明する模式図である。図１１Ｂは、携帯電話機１が開状態におけるフレキシブルプリント基板２００の態様を説明する模式図である。
【００５４】
図４及び図５に示すように、連結部４は、軸部材３００と、軸収容部２７０と、連結カバー部２９０と、収容空間ＡＲと、規制部２７３とを有する（図３も参照）。
本実施形態において、軸収容部２７０は、表示部側筐体３（フロントケース３ｂ）に形成される。
【００５５】
軸部材３００は、回動軸Ｚに沿って配置される。軸部材３００は、軸収容部２７０に収容配置される。軸部材３００は、軸収容部２７０に収容されない部分において、操作部側筐体２（軸挿入部２６９に挿入）に連結される。
【００５６】
軸収容部２７０は、軸部材３００を収容する。軸収容部２７０は、回動軸Ｚ方向に沿って配置されるよう軸部材３００を保持する。
軸収容部２７０は、表示部側筐体３（フロントケース３ｂ）における長手方向の端部に形成される。
【００５７】
軸収容部２７０は、表示部側筐体３（フロントケース３ｂ）から回動軸方向Ｚに直交する方向に延びる根元部２７１と、根元部２７１から回動軸Ｚ方向に延びるように形成される延出部２７２と、軸部材３００が挿入される軸挿入部２７４とを有する。
ここで、延出部２７２と後述する連結カバー部２９０との間には、後述する収容空間ＡＲが形成される。延出部２７２における表面２７２ａは、連結カバー部２９０の内面とにより後述する収容空間ＡＲを形成する。
【００５８】
連結カバー部２９０は、本実施形態において、フロントケース３ｂ側に形成される第１カバー部２９０ａと、リアケース３ｃ側に形成される第２カバー部２９０ｂとを有する。
連結カバー部２９０は、略円筒状の内部空間を形成する。連結カバー部２９０により形成された内部空間には、軸収容部２７０が収容配置される。
連結カバー部２９０は、軸収容部２７０の外面から離間して配置される。連結カバー部２９０は、軸収容部２７０の表面２７２ａとの間に収容空間ＡＲを形成する。
【００５９】
収容空間ＡＲは、軸収容部２７０の表面２７２ａと連結カバー部２９０の内面との間に形成される。
収容空間ＡＲには、フレキシブルプリント基板２００におけるたるみ部２０３Ａが配置される。言い換えると、軸収容部２７０を構成する延出部２７２の表面２７２ａと連結カバー部２９０の内面との間にフレキシブルプリント基板２００のたるみ部２０３Ａが配置される。収容空間ＡＲには、たるみ部２０３Ａが変形可能及び移動可能に配置される。
【００６０】
規制部２７３は、延出部２７２の表面２７２ａに形成される。規制部２７３は、延出部２７２における端部側に形成される。
規制部２７３は、延出部２７２の表面２７２ａから突出して形成される。
規制部２７３は、延出部２７２の表面２７２ａに円周方向に沿って延びるように形成される。詳細には、規制部２７３は、延出部２７２の表面２７２ａに螺旋形状の一部を構成する形状に形成される。
【００６１】
規制部２７３は、たるみ部２０３Ａを構成するフレキシブルプリント基板２００における回動軸Ｚ方向の端面に当接して、フレキシブルプリント基板２００における回動軸Ｚ方向への移動を規制する。
また、規制部２７３は、たるみ部２０３Ａを構成するフレキシブルプリント基板２００における回動軸Ｚ方向の端面に当接して、携帯電話機１が開閉変形した場合におけるたるみ部２０３Ａの移動をガイドする（図１１Ａ、図１１Ｂ参照）。
【００６２】
続けて、図４から図６に示すように、フレキシブルプリント基板２００は、一端側の第１部２０１が操作部側筐体２に形成される貫通孔部２４９に挿通して操作部側筐体２の内部空間に配置され、他端側の第２部２０２が表示部側筐体３に形成された貫通孔部２５０に挿通して表示部側筐体３の内部空間に配置される。
そして、フレキシブルプリント基板２００は、中央部２０３が連結部４の内部空間に配置される。ここで、中央部２０３には、たるみ部２０３Ａが形成される。たるみ部２０３Ａは、上述した収容空間ＡＲに収容配置される。
フレキシブルプリント基板２００について、更に詳述する。
【００６３】
フレキシブルプリント基板２００は、一端側の第１部２０１と、中央部２０３と、他端側の第２部２０２を有する。
第１部２０１は、貫通孔部２４９に挿通して操作部側筐体２の内部空間に配置される。第１部２０１は、操作部側筐体２の内部に配置される回路基板７０に電気的に接続される。
第２部２０２は、表示部側筐体３に形成された貫通孔部２５０に挿通して、表示部側筐体３の内部空間に配置される。第２部２０２は、表示部側筐体３の内部に配置される表示部側基板８６に電気的に接続される。
【００６４】
フレキシブルプリント基板２００には、第１グロメット２１０と、第２グロメット２２０とが取り付けられる。
第１グロメット２１０は、第１部２０１と中央部２０３との間に取り付けられる。
第１グロメット２１０は、弾性材により構成される部材である。第１グロメット２１０は、フレキシブルプリント基板２００の外面に隙間無く密着して取り付けられる。
第１グロメット２１０は、一部が外部空間側から貫通孔部２４９に圧入されて、貫通孔部２４９における外部空間側を閉塞する。
【００６５】
第２グロメット２２０は、第２部２０２と中央部２０３との間に取り付けられる。
第２グロメット２２０は、弾性材により構成される部材である。第２グロメット２２０は、フレキシブルプリント基板２００の外面に隙間無く密着して取り付けられる。
第２グロメット２２０は、一部が外部空間側から貫通孔部２５０に圧入されて、貫通孔部２５０における外部空間側を閉塞する。
【００６６】
中央部２０３は、連結部４の内部空間に配置される。
中央部２０３には、たるみ部を２０３Ａが形成される。たるみ部２０３Ａは、携帯電話機１が開閉変形するために必要な弛み部分である。
【００６７】
たるみ部２０３Ａは、軸収容部２７０の延出部２７２と連結カバー部２９０との間に配置される。たるみ部２０３Ａは、収容空間ＡＲに配置される。
また、たるみ部２０３Ａは、収容空間ＡＲに変形及び移動可能に収容される。
また、たるみ部２０３Ａは、規制部２７３により回動軸Ｚ方向への移動が規制されると共に、延出部２７２の周方向への移動がガイドされた状態で収容空間ＡＲに収容される。
【００６８】
図５に示すように、たるみ部２０３Ａは、第１面２００Ａ側を内側にした第１折り返し部２０３ａと、第２面２００Ｂ側を内側にした第２折り返し部２０３ｂとを有する。
図７に示すように、たるみ部２０３Ａは、断面がＺ字状（ジグザグ状、波上）に形成される。
図１１Ａ及び図１１Ｂに示すように、たるみ部２０３Ａは、携帯電話機１が閉状態及び開状態の双方において、第１折り返し部２０３ａ及び第２折り返し部２０３ｂを有する。また、たるみ部２０３Ａは、携帯電話機１が閉状態及び開状態の双方において、断面がＺ字状（ジグザグ状、波上）である。
【００６９】
ここで、たるみ部２０３Ａは、第１面２００Ａ側を内側にした第１折り返し部２０３ａと、第２面２００Ｂ側を内側にした第２折り返し部２０３ｂを有して、断面がＺ字状（ジグザグ状、波上）に形成されることで、延出部２７２の一方側（フロントケース３ｂ本体と反対側）のみに配置される。言い換えると、たるみ部２０３Ａは、延出部２７２の一方側に形成され連結部４の内部空間において占める割合が小さい収容空間ＡＲに収容可能に構成される。
【００７０】
また、図５から図７に示すように、第１折り返し部２０３ａ及び第２折り返し部２０３ｂそれぞれは、湾曲状に形成される。第１折り返し部２０３ａ及び第２折り返し部２０３ｂそれぞれは、同様に、携帯電話機１が閉状態及び開状態の双方において、湾曲状に形成される。
【００７１】
また、図８に示すように、本実施形態において、フレキシブルプリント基板２００における第１面２００Ａには、摩擦低減シート４００が配置される。具体的には、中央部２０３における第１面２００Ａには、摩擦低減シート４００が貼り付けられる。
摩擦低減シート４００は、フレキシブルプリント基板２００において、フレキシブルプリント基板２００同士の接触、軸収容部２７０や連結カバー部２９０へ接触しやすい領域に配置される。
【００７２】
図９及び図１０に示すように、フレキシブルプリント基板２００は、複数の層を有して構成される。図９及び図１０に示すように、フレキシブルプリント基板２００は、第１面２００Ａと、第１面２００Ａに対して厚み方向において対向する第２面２００Ｂを有する。
本実施形態において、フレキシブルプリント基板２００は、４層を有して構成される。
フレキシブルプリント基板２００は、第１面２００Ａ側から順に、第１層２９１と、第２層２９２と、第３層２９３と、第４層２９４とを有する。
本実施形態において、第１層２９１及び第４層２９４は、グランドパターン層である。また、第２層２９２及び第３層２９３は、信号ライン層である。フレキシブルプリント基板２００において、厚さ方向における内層部には信号ライン層が配置され、外層部にはグランドパターン層が配置される。
【００７３】
また、フレキシブルプリント基板２００は、第１面２００Ａ側の層を第２面側の層よりも長さが短くなるよう構成されてもよい。
詳細には、フレキシブルプリント基板２００は、収容空間ＡＲに収容された部分（中央部２０３）のうちたるみ部２０３Ａを除く部分において第１面２００Ａ側が軸部材３００側を向くように配置された場合において、第１面２００Ａ側の層が第２面２００Ｂ側の層よりも長さが短くなるよう構成される。
【００７４】
本実施形態において、例えば、フレキシブルプリント基板２００は、第１層２９１が最も短く、第２層２９２、第３層２９３、第４層２９４の順で長くなるように構成できる。
具体的には、図１０に示す状態を基準にして各層の長さを設定できる。
つまり、フレキシブルプリント基板２００は、たるみ部２０３Ａが形成された状態を想定して、第１面２００Ａ側の層の長さを短く、第２面２００Ｂ側の層の長さを長くするよう構成できる。
【００７５】
また、更には、携帯電話機１における閉状態と開状態との中間の状態（回動角度が閉状態の回動角度と開状態の回動角度との中間の回動角度）を基準として、各層の長さを設定することができる。例えば、携帯電話機１を閉状態と開状態との中間の状態にして、コネクタ部（不図示）の部分や、防水グロメットにおける固定部分（樹脂）において各層を固定することができる。
【００７６】
続けて、図１１Ａ及び図１１Ｂにより、携帯電話機１が開閉変形した場合におけるフレキシブルプリント基板２００の変形状態について説明する。
図１１Ａに示すように、携帯電話機１が閉状態において、たるみ部２０３Ａは、（図１１Ａにおいて）延出部２７２の右斜め上に配置される。
詳細には、第１折り返し部２０３ａは、延出部２７２の（図１１Ａにおいて）右側に配置される。また、第２折り返し部２０３ｂは、延出部２７２の（図１１Ａにおいて）左斜め上に配置される。
【００７７】
次いで、図１１Ｂに示すように、携帯電話機１が開状態において、たるみ部２０３Ａは、（図１１Ｂにおいて）延出部２７２の右側から右斜め下に配置される。
詳細には、第１折り返し部２０３ａは、延出部２７２の（図１１Ｂにおいて）下側（右側）配置される。また、第２折り返し部２０３ｂは、延出部２７２の（図１１Ｂにおいて）右斜め上に配置される。
【００７８】
図１１Ａ及び図１１Ｂに示すように、携帯電話機１が開閉変形した場合、たるみ部２０３Ａは、収容空間ＡＲ内を延出部２７２の周方向に移動すると共に、変形する。
【００７９】
具体的には、携帯電話機１が閉状態から開状態に変形した場合、中央部２０３における第２部２０２側の端部が延出部２７２の左斜め上から右斜め下に移動する。そして、中央部２０３における両端の距離が短くなる。
上記移動により、第１折り返し部２０３ａが移動する。また、第２折り返し部２０３ｂが移動する。また、中央部２０３における両端の距離が短くなることで、第１折り返し部２０３ａと第２折り返し部２０３ｂとの間の折り返し距離が長くなる。
そして、全体としては、携帯電話機１が閉状態から開状態に変形した場合、表示部側筐体３の回動位置に対応して、たるみ部２０３Ａが回動方向に移動する。
【００８０】
ここで、第１折り返し部２０３ａ及び第２折り返し部２０３ｂそれぞれが湾曲状に形成されるので、携帯電話機１における開閉変形に対応して、たるみ部２０３Ａは、スムースに変形する。
また、延出部２７２の表面２７２ａに規制部２７３が形成されるので、たるみ部２０３Ａは、規制部２７３の側面に沿ってガイドされ、スムースに移動する。
【００８１】
上述してきたように、本実施形態に係る携帯電話機１（電子機器）は、操作部側筐体２（第１筐体）と、第１筐体に収容される回路基板７０（第１回路基板）と、表示部側筐体３（第２筐体）と、第２筐体に収容される表示部側基板８６（第２回路基板）と、第１筐体と第２筐体とを所定の回動軸Ｚを中心に互いに回動可能に連結する連結部４であって、回動軸Ｚに沿って配置される軸部材３００と、軸部材３００（軸収容部２７０）の外面から離間して配置され、軸部材３００（軸収容部２７０）の外面との間に収容空間ＡＲを形成する連結カバー部２９０と、を有する連結部４と、第１面２００Ａと第１面２００Ａに対して厚み方向において対向する第２面２００Ｂとを有し、第１回路基板と第２回路基板とを電気的に接続するフレキシブルプリント基板２００であって、第１筐体に収容される第１部２０１と、第２筐体に収容される第２部２０２と、連結部４における収容空間ＡＲに収容配置されるたるみ部２０３Ａであって、第１面２００Ａ側を内側にした第１折り返し部２０３ａと、第２面２００Ｂ側を内側にした第２折り返し部と２０３ｂを有するたるみ部２０３Ａとを有するフレキシブルプリント基板２００と、を備える。
これら構成によれば、携帯電話機１において、フレキシブルプリント基板２００は、巻き回されることなく連結部４に収容配置される。具体的には、携帯電話機１において、フレキシブルプリント基板２００は、第１折り返し部２０３ａ及び第２折り返し部２０３ｂを有した状態で連結部４に収容配置される。
これにより、例えば、螺旋状に巻き回した構成等に比べて、第１面２００Ａ側の層における湾曲や螺旋の内側に位置する部分の長さが短くなる。
これにより、携帯電話機１は、第１面２００Ａ側の層が撓んで第２面２００Ｂ側の層から離れることを抑制できる。つまり、携帯電話機１は、フレキシブルプリント基板２００を層同士の間に隙間が生じることを抑制した状態で収容可能である。
また、これにより、携帯電話機１は、層同士の隙間に砂等が入りこむことで生じる断線の発生を抑制できる。携帯電話機１における信頼性が向上する。
【００８２】
また、本実施形態によれば、たるみ部２０３Ａは、第１面２００Ａ側を内側にした第１折り返し部２０３ａと、第２面２００Ｂ側を内側にした第２折り返し部２０３ｂを有して、断面がＺ字状（ジグザグ状、波上）になるよう形成されている。
これにより、携帯電話機１は、たるみ部２０３Ａを延出部２７２の一方側（フロントケース３ｂ本体と反対側）のみに配置させる。
携帯電話機１は、延出部２７２の一方側に形成され連結部４の内部空間において占める割合が小さい収容空間ＡＲにたるみ部２０３Ａを収容する。
これにより、携帯電話機１は、省スペース化が図れる。また、携帯電話機１は、コンパクト化可能である。
【００８３】
また、軸部材３００（軸収容部２７０）は、外面に形成され、たるみ部２０３Ａを構成するフレキシブルプリント基板２００における回動軸Ｚ方向の端面に当接してフレキシブルプリント基板２００における回動軸Ｚ方向への移動を規制する規制部２７３を有してもよい。
この構成によれば、携帯電話機１は、延出部２７２の表面２７２ａから突出して形成される規制部２７３を有するので、たるみ部２０３Ａにおける回動軸Ｚ方向の移動を規制できる。
また、本実施形態によれば、携帯電話機１は、延出部２７２の表面２７２ａの周方向に沿って形成されるので、携帯電話機１の開閉変形にともなうたるみ部２０３Ａの移動をガイドすることができる。
これにより、携帯電話機１は、開閉変形等において、たるみ部２０３Ａにおける挙動を制御できる。携帯電話機１は、たるみ部２０３が意図しない位置に移動することを抑制できる。また、携帯電話機１は、たるみ部２０３の変形をスムースに誘導できる。
【００８４】
また、第１折り返し部２０３ａ及び第２折り返し部２０３ｂそれぞれは、湾曲状に形成されてもよい。
この構成によれば、携帯電話機１は、第１折り返し部２０３ａ及び第２折り返し部２０３ｂそれぞれが湾曲状に形成されるので、たるみ部２０３Ａの移動や変形をスムースに行わせることができる。
携帯電話機１は、開閉変形にともなう第１折り返し部２０３ａ及び第２折り返し部２０３ｂの移動（遷移）をスムースに行わせることができる。
【００８５】
また、フレキシブルプリント基板２００における第１面２００Ａ及び／又は第２面２００Ｂには、摩擦低減シート４００が配置されてもよい。
この構成によれば、携帯電話機１は、フレキシブルプリント基板２００における第１面２００Ａ及び／又は第２面２００Ｂに摩擦低減シートが配置されるので、延出部２７２や連結カバー部２９０に擦れることによるフレキシブルプリント基板２００の破損を抑制できる。
【００８６】
また、フレキシブルプリント基板２００は、複数の層を有し、厚さ方向における内層部には信号ライン層が配置され、外層部にはグランドパターン層が配置されてもよい。
この構成によれば、携帯電話機１は、フレキシブルプリント基板２００が厚さ方向における内層部には信号ライン層が配置され、外層部にはグランドパターン層が配置されるよう構成されるので、断線を回避できる。
【００８７】
また、フレキシブルプリント基板２００は、収容空間ＡＲに収容された部分のうちたるみ部２０３Ａを除く部分において第１面２００Ａ側が軸部材３００側を向くように配置されると共に、第１面２００Ａ側の層が第２面２００Ｂ側の層よりも長さが短くなるよう構成されてもよい。
この構成によれば、携帯電話機１は、第１面２００Ａ側の層が第２面２００Ｂ側の層よりも長さが短くなるよう構成されるので、層同士が離間することを抑制できる。これにより、携帯電話機１は、断線が生じることを抑制できる。
【００８８】
また、本実施形態によれば、フレキシブルプリント基板２００を延出部２７２等に巻きつける必要がないため、携帯電話機１における組み立て性が向上される。
【００８９】
また、本実施形態によれば、たるみ部２０３Ａを延出部２７２と連結カバー部２９０との間の収容空間ＡＲに収容させるだけでフレキシブルプリント基板２００を連結部４内に組み付けることができる。
これにより、携帯電話機１の組み込み作業における自由度が向上する。また、破損しやすいフレキシブルプリント基板２００の組み込み工程を最終に近い工程にすることができるので、組み込み作業中に生じる破損等の不良件数を減少させることができる。
【００９０】
以上、好適な実施形態について説明したが、本発明は上述した実施形態に限定されることなく種々の形態で実施することができる。例えば、本実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００９１】
また、本実施形態において、操作部側筐体２を第１筐体とすると共に、表示部側筐体３を第２筐体として説明しているが、これに限定されない。当然に、表示部側筐体３が第１筐体であると共に、操作部側筐体２が第２筐体であってもよい。
【００９２】
また、本実施形態において、摩擦低減シート４００は、第１面２００Ａ側に配置されているが、これに限定されず、第２面２００Ｂ側に配置されていてもよい。また、摩擦低減シート４００は、第１面２００Ａ及び第２面２００Ｂ側の双方に配置されていてもよい。
【００９３】
また、本実施形態において、軸収容部２７０は、表示部側筐体３側に形成されているが、これに限定されず、操作部側筐体２側に形成されていてもよい。
【００９４】
また、本実施形態において、軸収容部２７０は、延出部２７２が回動軸Ｚ方向に延びる円筒状であって片持ち梁状に形成されているが、これに限定されない。
例えば、図１２Ａに示すように、軸収容部２７０Ａは、延出部２７２Ａと表示部側筐体３とをつなぐ補強部２７９、２７９を有して、延出部２７２Ａが片持ち梁状でない構成であってもよい。
【００９５】
また、図１２Ｂに示すように、軸収容部２７０Ｂは、延出部２７２Ｂが表示部側筐体３から突出するように形成されてもよい。言い換えると、軸収容部２７０Ｂは、延出部と補強部とが一体的に表示部側筐体３から突出するように形成されてもよい。ここで、軸収容部２７０Ｂは、延出部と表示部側筐体３との間を全て埋めるように形成された補強部２７９Ｂを有するといえる。
【００９６】
上述したように、軸部材３００（軸収容部２７０）は、第１筐体又は第２筐体から回動軸Ｚ方向に直交する方向に延びる根元部と、根元部から回動軸Ｚ方向に延びるように形成される延出部２７２と、少なくとも延出部２７２における根元部と反対側の先端部側に形成され、第１筐体と延出部２７２とをつなぐように形成される補強部２７９と、を有してもよい。
この構成によれば、携帯電話機１は、延出部２７２と表示部側筐体３（筐体）とをつなぐ補強部を有するので、携帯電話機１は、フレキシブルプリント基板２００等から力が加えられたり、落下等により外部から加えられた衝撃に大きなモーメントが生じることで、延出部２７２（筐体）が破損することを抑制できる。
【００９７】
また、上述より、携帯電話機１は、フレキシブルプリント基板２００を巻きつける構造を有さないので、延出部２７２を片持ち梁状にする必要がない。つまり、携帯電話機１は、筐体の破損が抑制された構造を有する。
【符号の説明】
【００９８】
１          携帯電話機
２          操作部側筐体（第１筐体）
３          表示部側筐体（第２筐体）
４          連結部
７０        回路基板
８６        表示部側基板
２００Ａ    第１面
２００Ｂ    第２面
２００      フレキシブルプリント基板
２０１      第１部
２０２      第２部
２０３      中央部
２０３Ａ    たるみ部
２０３ａ    第１折り返し部
２０３ｂ    第２折り返し部
２７０      軸収容部
２９０      連結カバー部
３００      軸部材
ＡＲ        収容空間
Ｚ          回動軸
【図１】
2012222621.tif 000003
【図２】
2012222621.tif 000004
【図３】
2012222621.tif 000005
【図４】
2012222621.tif 000006
【図５】
2012222621.tif 000007
【図６】
2012222621.tif 000008
【図７】
2012222621.tif 000009
【図８】
2012222621.tif 000010
【図９】
2012222621.tif 000011
【図１０】
2012222621.tif 000012
【図１１Ａ】
2012222621.tif 000013
【図１１Ｂ】
2012222621.tif 000014
【図１２Ａ】
2012222621.tif 000015
【図１２Ｂ】
2012222621.tif 000016